【手続補正書】
【提出日】令和1年7月26日(2019.7.26)
【手続補正１】
【補正対象書類名】特許請求の範囲
【補正対象項目名】全文
【補正方法】変更
【補正の内容】
【特許請求の範囲】
【請求項１】
入力信号を増幅する増幅器と、
前記増幅器の出力信号を第１信号経路と第２信号経路とに分岐し、前記第１および第２信号経路のインピーダンス変換を行う、スプリッタと、
前記増幅器の出力信号または前記増幅器の出力信号を前記スプリッタで前記第１信号経路に分岐した信号を出力する第１出力端子と、
前記増幅器の出力信号または前記増幅器の出力信号を前記スプリッタで前記第２信号経路に分岐した信号を出力する第２出力端子と、
前記増幅器の出力信号を前記第１出力端子から出力するか、前記第２出力端子から出力するか、または前記スプリッタで分岐して前記第１および第２出力端子の双方から出力するかを切り替える、出力制御部と、
前記増幅器、前記スプリッタおよび前記出力制御部が配置されるＳＯＩ（Silicon On Insulator）基板と、を備える、半導体装置。
【請求項２】
前記出力制御部は、
前記増幅器の出力ノードと前記スプリッタの入力ノードとの間に接続される第１スイッチと、
前記第１信号経路と前記第１出力端子との間に接続される第２スイッチと、
前記第２信号経路と前記第２出力端子との間に接続される第３スイッチと、
前記増幅器の出力ノードと前記第１出力端子との間に接続される第４スイッチと、
前記増幅器の出力ノードと前記第２出力端子との間に接続される第５スイッチと、を有し、
前記出力制御部は、前記第１乃至第５スイッチの切替制御により、前記増幅器の出力信号を前記第１出力端子から出力するか、前記第２出力端子から出力するか、または前記スプリッタで分岐して前記第１および第２出力端子の双方から出力するかを切り替える、請求項１に記載の半導体装置。
【請求項３】
前記増幅器は、第１入力信号を増幅する第１増幅器と、第２入力信号を増幅する第２増幅器と、を有し、
前記出力制御部は、前記第１増幅器の出力信号を前記第１出力端子から出力するか、前記第２出力端子から出力するか、または前記スプリッタで分岐して前記第１および第２出力端子の双方から出力するかの切り替えと、前記第２増幅器の出力信号を前記第１出力端子から出力するか、前記第２出力端子から出力するか、または前記スプリッタで分岐して前記第１および第２出力端子の双方から出力するかの切り替えと、を行う、請求項１に記載の半導体装置。
【請求項４】
前記出力制御部は、
前記第１増幅器の出力ノードと前記スプリッタの入力ノードとの間に接続される第１スイッチと、
前記第１信号経路と前記第１出力端子との間に接続される第２スイッチと、
前記第２信号経路と前記第２出力端子との間に接続される第３スイッチと、
前記第１増幅器の出力ノードと前記第１出力端子との間に接続される第４スイッチと、
前記第１増幅器の出力ノードと前記第２出力端子との間に接続される第５スイッチと、
前記第２増幅器の出力ノードと前記スプリッタの入力ノードとの間に接続される第６スイッチと、
前記第２増幅器の出力ノードと前記第１出力端子との間に接続される第７スイッチと、
前記第２増幅器の出力ノードと前記第２出力端子との間に接続される第８スイッチと、
前記第１増幅器と前記第１増幅器の出力ノードとの間に接続される第９スイッチと、
前記第２増幅器と前記第２増幅器の出力ノードとの間に接続される第１０スイッチと、を備え、
前記出力制御部は、前記第１乃至第１０スイッチの切替制御により、前記第１増幅器の出力信号を前記第１出力端子から出力するか、前記第２出力端子から出力するか、または前記スプリッタで分岐して前記第１および第２出力端子の双方から出力するかの切り替えと、前記第２増幅器の出力信号を前記第１出力端子から出力するか、前記第２出力端子から出力するか、または前記スプリッタで分岐して前記第１および第２出力端子の双方から出力するかの切り替えと、を行う、請求項３に記載の半導体装置。
【請求項５】
前記増幅器は、第１入力信号を増幅する第１増幅器と、第２入力信号を増幅する第２増幅器と、第３入力信号を増幅する第３増幅器と、を有し、
前記出力制御部は、前記第１増幅器の出力信号を前記第１出力端子から出力するか、前記第２出力端子から出力するか、または前記スプリッタで分岐して前記第１および第２出力端子の双方から出力するかの切り替えと、前記第２増幅器の出力信号を前記第１出力端子から出力するか、前記第２出力端子から出力するか、または前記スプリッタで分岐して前記第１および第２出力端子の双方から出力するかの切り替えと、前記第３増幅器の出力信号を前記第１出力端子から出力するか、または前記第２出力端子から出力するかの切り替えと、を行う、請求項１に記載の半導体装置。
【請求項６】
前記出力制御部は、
前記第１増幅器の出力ノードと前記スプリッタの入力ノードとの間に接続される第１スイッチと、
前記第１信号経路と前記第１出力端子との間に接続される第２スイッチと、
前記第２信号経路と前記第２出力端子との間に接続される第３スイッチと、
前記第１増幅器の出力ノードと前記第１出力端子との間に接続される第４スイッチと、
前記第１増幅器の出力ノードと前記第２出力端子との間に接続される第５スイッチと、
前記第２増幅器の出力ノードと前記スプリッタの入力ノードとの間に接続される第６スイッチと、
前記第２増幅器の出力ノードと前記第１出力端子との間に接続される第７スイッチと、
前記第２増幅器の出力ノードと前記第２出力端子との間に接続される第８スイッチと、
前記第１増幅器と前記第１増幅器の出力ノードとの間に接続される第９スイッチと、
前記第２増幅器と前記第２増幅器の出力ノードとの間に接続される第１０スイッチと、
前記第３増幅器の出力ノードと前記第１出力端子との間に接続される第１１スイッチと、
前記第３増幅器の出力ノードと前記第２出力端子との間に接続される第１２スイッチと、を備え、
前記出力制御部は、前記第１乃至第１２スイッチの切替制御により、前記第１増幅器の出力信号を前記第１出力端子から出力するか、前記第２出力端子から出力するか、または前記スプリッタで分岐して前記第１および第２出力端子の双方から出力するかの切り替えと、前記第２増幅器の出力信号を前記第１出力端子から出力するか、前記第２出力端子から出力するか、または前記スプリッタで分岐して前記第１および第２出力端子の双方から出力するかの切り替えと、前記第３増幅器の出力信号を前記第１出力端子から出力するか、または前記第２出力端子から出力するかの切り替えと、を行う、請求項５に記載の半導体装置。
【請求項７】
前記スプリッタは、
前記第１信号経路上において直列接続される第１インダクタおよび第２インダクタと、
前記第２信号経路上において直列接続される第３インダクタおよび第４インダクタと、を有し、
前記第１乃至第４インダクタは、前記ＳＯＩ基板上に配置されるスパイラル状の導電パターンである、請求項１乃至６のいずれか１項に記載の半導体装置。
【請求項８】
前記増幅器は、
第１基準電位と第２基準電圧との間に直列接続される、第５インダクタ、第１トランジスタ、第２トランジスタ、および第６インダクタを備え、
前記第１トランジスタのゲートには、前記入力信号が入力され、
前記第２トランジスタのゲートには、バイアス電圧が入力され、
前記第２トランジスタのドレイン電圧に応じた信号が前記増幅器の出力ノードから出力され、
前記第５インダクタの配線幅は、前記第１乃至第４インダクタの配線幅より大きく、
前記第６インダクタの配線幅は、前記第１乃至第４インダクタの配線幅より小さい、請求項７に記載の半導体装置。
【請求項９】
前記増幅器は、
第１入力信号を増幅する第１増幅器と、
第２入力信号を増幅する第２増幅器と、を有し、
前記スプリッタは、
一端が前記第１インダクタと前記第２インダクタとの間に接続され、他端が第３基準電位に接続された第１可変キャパシタと、
一端が前記第３インダクタと前記第４インダクタとの間に接続され、他端が第４基準電位に接続された第２可変キャパシタと、を有し、
前記出力制御部は、
前記第１増幅器の出力信号を前記第１出力端子から出力するか、前記第２出力端子から出力するか、または前記スプリッタで分岐して前記第１および第２出力端子の双方から出力するかの切り替えと、前記第２増幅器の出力信号を前記第１出力端子から出力するか、前記第２出力端子から出力するか、または前記スプリッタで分岐して前記第１および第２出力端子の双方から出力するかの切り替えと、を行い、
前記第１増幅器の出力信号を前記スプリッタで分岐して出力するときと、前記第２増幅器の出力信号を前記スプリッタで分岐して出力するときとで、前記第１および第２可変キャパシタのキャパシタンスを異なる値に切り替える、請求項７に記載の半導体装置。